(57)【要約】【課題】従来のものよりもコストを削減し、信頼性を向上させ、及び／又は容易に組み付けられる、展開型の留め金を備えた中留を提供すること。【解決手段】留め金を備えた、腕輪用の中留であって、内板３と、該内板に連結された少なくとも１つの外板１と、弾性部材９の付勢力に抗して前記中留をロック解除する少なくとも１つのスライド部材７と、少なくとも１つの軸に沿った前記スライド部材の変位を規制する少なくとも１つのストッパ１１とを備えて成る前記中留において、前記ストッパ１１を前記スライド部材７に着脱自在に連結した。
2008537893.tif 000002
【特許請求の範囲】
【請求項１】
留め金を備えた、腕輪用の中留であって、
内板（３）と、
該内板に連結された少なくとも１つの外板（１）と、
弾性部材（９）の付勢力に抗して前記中留をロック解除する少なくとも１つのスライド部材（７）と、
少なくとも１つの軸に沿った前記スライド部材の変位を規制する少なくとも１つのストッパ（１１）と
を備えて成る前記中留において、
前記ストッパ（１１）を前記スライド部材（７）に着脱自在に連結したことを特徴とする中留。
【請求項２】
所定の軸線に沿った前記弾性部材（９）の付勢力による前記スライド部材（７）の変位を前記ストッパ（１１）により規制することを特徴とする請求項１記載の中留。
【請求項３】
ロック状態において、前記ストッパ（１１）により前記スライド部材（７）のスライド方向と直交する方向への変位を規制してロック状態を維持することを特徴とする請求項１記載の中留。
【請求項４】
ロック状態においては、前記ストッパ（１１）により前記スライド部材（７）のスライド方向と直角な方向及び前記スライド部材（７）のスライド方向と平行な方向への変位を規制してロック状態を維持し、
非ロック状態においては、前記ストッパ（１１）により前記スライド部材（７）のスライド方向と平行な方向への変位のみを規制することを特徴とする請求項１記載の中留。
【請求項５】
前記ストッパ（１１）を、ロック状態では前記外板（１）の一部で支持し、非ロック状態では前記内板（３）を横切って設けたことを特徴とする請求項３又は４記載の中留。
【請求項６】
２つの前記スライド部材（７）と、
該スライド部材それぞれに１つずつ連結した前記ストッパ（１１）と、
前記２つのスライド部材を、これが変位する際にガイドするガイド部材（１３）と、
前記スライド部材を所定の中立位置に復帰させるための押縮された弾性部材（９）と、
前記ストッパが内部において移動する、前記ガイド部材に設けられた少なくとも１つの開口部（１３０）と
を備えて成ることを特徴とする請求項１〜５の何れか１項に記載の中留。
【請求項７】
前記ストッパ（１１）の移動幅を、該ストッパと当接する前記開口部（１３０）の縁部により規制することを特徴とする請求項６記載の中留。
【請求項８】
前記ストッパ（１１）の移動時に、該ストッパを前記開口部でガイドすることを特徴とする請求項６又は７記載の中留。
【請求項９】
前記ストッパ（１１）を前記スライド部材（７）にネジにより締結したことを特徴とする請求項１〜８の何れか１項に記載の中留。
【請求項１０】
更に中留カバー（５）を備え、該中留カバーに前記内板（３）の一端をリンク結合させ、
前記外板（１）の一端を前記腕輪の一端にリンク結合させ、
前記中留カバー（５）を前記腕輪の他端に連結した
ことを特徴とする請求項１〜９の何れか１項に記載の中留。
【請求項１１】
前記中留カバー（５）に、前記スライド部材（７）が横切る２つの外側面（５１）を設けたことを特徴とする請求項１０記載の中留。
【請求項１２】
前記弾性部材（９）を、前記スライド部材（７）間に縮装したスプリングバーで構成したことを特徴とする請求項１〜１１の何れか１項に記載の中留。
【請求項１３】
前記外板（１）を２つ設け、折りたたみ時に、これらの間に前記内板（３）を収納することを特徴とする請求項１〜１２の何れか１項に記載の中留。
【請求項１４】
内板（３）と、該内板に連結された少なくとも１つの外板（１）とを備えて成る腕輪用中留の組付方法であって、
少なくとも１つのスライド部材（７）をガイド部材（１３）に挿入するとともに、前記スライド部材を所定の中立位置に復帰させる弾性部材を取り付けるステップと、
前記スライド部材（７）の変位を規制する、該スライド部材（７）に着脱自在に連結した少なくとも１つのストッパ（１１）を取り付けるステップと
から成ることを特徴とする中留組付方法。
【発明の詳細な説明】
【技術分野】
【０００１】
本発明は、留め金を備えた、腕輪用の中留に関し、特に腕時計のリストバンドの中留に関する。
【背景技術】
【０００２】
本出願人の出願に係る公開公報である特許文献１には、展開型の留め金を備えた中留が開示されており、この留め金は２つのスライド部材を備えており、これらスライド部材は２つのスプリングバーの付勢力に抗して変位する。そして、これらスライド部材の案内は、カバーの外側面及び両スライド部材に設けられた係合穴に係合したロッドにより行われる。ここで、中留をスライド部材のそのスライド方向と直角な方向への変位を防止するために、カバーの外側面を厳密な許容公差で機械加工する必要が生じてしまう。又、正確な案内を達成するために、これら外側面の壁厚を相当なものとしなければならない。このような方法は、信頼性はあるが、コストが大きくなってしまう。更に、このような中留の組み立ては非常に繊細な作業を必要とするとともに、カバーに締結するためのケーシングが必要となってしまう。
【０００３】
又、特許文献２には、２つのスライド部材を有する、展開型の留め金を備えた中留が開示されている。これら互いに離して設けられた２つのスライド部材を移動させ、且つ、この移動を完全に平行な移動とするために、スプリングロッドが２つ必要となってしまい、それ故、スライド部材の大きさが大きくなってしまうとともに、コストも大きくなってしまう。又、このような構造のスライド部材は、中留のロック状態にあるときのみ２つの中板により支持されている。しかしながら、中留が開放されている場合、ボタン類が中留から脱落する恐れがある。
【０００４】
又、特許文献３には、互いに逆方向に移動される２つのスライド部材を備えた中留の構造が開示されている。これらスライド部材は、押縮されたスプリングによりカバーの外側面に対して逆の中立位置への復帰方向に付勢される。しかし、ユーザが両スライド部材を同時に押してしまうと、中留が分解してしまう恐れがある。
【０００５】
又、特許文献４には、自身の変位を規制する凸部を備えたスライド部材を有する中留が開示されている。これらスライド部材は、凸部を備えているために中留の中心部で相当な空間を占めることとなり、これらスライド部材の変位の規制は、スライド部材の案内が正確に行われている場合のみ正常に行われる。
【０００６】
又、特許文献５には、２つのスライド部材を備え、これらスライド部材の変位をストッパにより規制する中留が開示されている。このストッパは、着脱自在には構成されていない上、スライド部材に連結されていない。そして、この中留の組付は複雑であり、多くの異なる部材をストッパより奥に挿入する必要が生じてしまう。
【０００７】
更に、特許文献６には、２つのスライド部材を備えた中留の他の例が開示されている。これらスライド部材は、ストッパを備えているが、このストッパが中留内に緩くガイドされているため容易に中留内に挿入することができる。しかしながら、特に中留が開放されている場合に、スライド部材は満足に支持され得ない。
【特許文献１】国際公開０３／０２２０９０号
【特許文献２】欧州特許出願公開第１２４７４６９号明細書
【特許文献３】欧州特許出願公開第０９１４７８１号明細書
【特許文献４】スイス国特許出願公開第６６５１０１号明細書
【特許文献５】英国特許出願公開第２２７３７３６号明細書
【特許文献６】スイス国特許出願公開第６６８３５３号明細書
【発明の開示】
【発明が解決しようとする課題】
【０００８】
本発明の１つの目的は、特に上記問題を解消することができる、改良された中留を提供することである。
【０００９】
又、本発明のもう１つの目的は、従来のものよりもコストを削減し、信頼性を向上させ、及び／又は容易に組み付けられる、展開型の留め金を備えた中留を提供することである。
【課題を解決するための手段】
【００１０】
上記目的は、留め金を備えた、腕輪用の中留であって、内板と、該内板に連結された少なくとも１つの外板と、弾性部材の付勢力に抗して前記中留をロック解除する少なくとも１つのスライド部材と、少なくとも１つの軸に沿った前記スライド部材の変位を規制する少なくとも１つのストッパとを備えて成る前記中留において、前記ストッパを前記スライド部材に着脱自在に連結することにより達成される。
【発明の効果】
【００１１】
上記手段によれば、中留の組付を容易にすることができる。スライド部材は自由にその軸方向に沿ってスライド可能であり、そのため、このスライド部材を中留内に容易に挿入することができる。この組付はストッパをスライド部材に連結することにより終了し、これによりスライド部材の変位を規制し、ストッパ及びスライド部材を中留から脱落するのを回避することができる。
【００１２】
本発明の好ましい実施の形態によれば、ストッパをスライド部材に連結させていればこのスライド部材の離脱は不可能であり、一方、ストッパをスライド部材から離脱させれば容易にスライド部材の離脱が可能である。
【００１３】
又、本発明によれば、ロック状態においては、ストッパによりスライド部材のスライド方向と直角な方向及びスライド部材のスライド方向と平行な方向への変位を規制してロック状態を維持し、非ロック状態においては、ストッパによりスライド部材のスライド方向と平行な方向への変位のみを規制する。
【００１４】
更に、スライド部材は腕輪の幅方向に沿って並進運動し、ストッパは少なくとも１方向（好ましくは両方向）の変位を規制する。それにより、両スライド部材が中留から完全に離脱する危険を回避することができる。又、中留は、腕輪の長さ方向に設けられた少なくとも１つの構成部材を有する中留カバーを持ち上げることにより開放され、ストッパを腕輪の長さ方向へ変位させないことによりロックされる。
【発明を実施するための最良の形態】
【００１５】
以下に本発明の実施の形態を添付図面に基づいて説明する。
【００１６】
図示の中留は、例えば皮革製、ゴム製等の柔軟な素材のリストバンド用、或いは金属を連結して成るリストバンド用のものである。この中留は内板３及び外板１を含んで構成されており、内板３及び外板１は畳まれた（格納された）状態で同一の幅を占めている。又、内板３及び外板１は、これらの一端において、空孔１４に挿設されたピンを介して互いに連結されている。
【００１７】
ここで、内板３は、空孔３１に挿設されたピン又はスプリングバーを介して中留カバー５とリンク結合されるとともに、該中留カバー５の外側面に設けられた係合穴に係合している。
【００１８】
又、リストバンドの一端（不図示）に中留カバー５の一端が連結されるとともに、図示（図１及び図２）のように、中留カバー５の外側面に複数（図示では４つ）の係合穴５０が設けられており、中留カバー５における留め位置を変更することによりリストバンドの長さを調節することができる。
【００１９】
一方、外板１は、内板３と連結されていない方の端部において空孔１２に挿設されたピンを介してリストバンド（不図示）と連結されている。
【００２０】
而して、金属製の中留カバー５は少なくとも３つの互いに直交する面を備えており、これらの面で構成された空間によって、ロック機構が隠蔽されるとともに保護されている。又、中留カバー５の２つの外側面には、スライド部材７を収容するための開口部１１３が設けられている。
【００２１】
上述のように、図示の中留は内板３及び外板１を含んで構成されており、それら互いの非ロック状態では長さが２倍となるが、本発明による中留は、Ｚ型金具、蝶型金具等を含む他の形式のものにも適用可能である。
【００２２】
ところで、本発明による中留は中留カバー５から外方へ突出した２つのスライド部材７を備えており、これら２つのスライド部材７を同時に横方向（リストバンドの幅方向）に押圧することによりロックの解除がなされる。
【００２３】
又、スライド部材７の内部に設けられた係合穴７２（図５）には弾性部材であるスプリングバー９が係合し、該スプリングバー９によりスライド部材７はその中立位置に復帰するとともに、外力が作用しない状態での中留によるロック状態が維持される。図示の例では、スプリングバー９は、螺旋状のスプリングが内部に縮装された２本のチューブで構成されている。尚、スプリングバー９として、ピンの片側或いは両側にスプリングを設けたものを使用することもできる。更に、より大きいサイズの中留を使用する際には、２つのピン又はスプリングバーを用いることによって、より正確なガイドを達成することができる。
【００２４】
図６Ａ及び図６Ｂに示すように、本発明による中留は更にスライド部材７をその変位時にガイドするガイド部材１３を含んで構成されている。該ガイド部材１３はチューブで構成されており、該チューブの形状及び寸法はスライド部材７の外形及び寸法に合わせて設定されている。又、ガイド部材１３は中留カバー５の内壁面で溶着されたり、挟持されるか、或いは他の支持手段により支持されている。
【００２５】
尚、図示していないが、ガイド部材１３を中留カバー５と一体に機械加工して形成することもできる。しかし、図示の実施の形態によれば、低いコストで、且つ、平坦な板材の曲げ及び穿孔による正確な精度による製造が可能である。
【００２６】
更に、中留はスライド部材７の変位を規制する２つのストッパ１１を含んで構成されており、該ストッパ１１は、スライド部材７に対して可動に構成されているとともに、ヘッド部分１１０とシャフト部分１１１で構成されている。各ストッパ１１のシャフト部分１１１は、各スライド部材７に設けられた空孔７１に螺合しており、一方、各ストッパ１１のヘッド部分１１０には、スクリュドライバが係合するよう溝が刻設されている。
【００２７】
本実施の形態によれば、スライド部材７から突出して設けられたストッパ１１のシャフト部分１１１の一部は、レンチにより締め付けたり、緩めたりできるよう不均等な、或いは多角形をした外形を有している。
【００２８】
又、本実施の形態によれば、前記溝を隠蔽したり、ユーザが不意にネジを緩めたりすることが防止される。又、ネジの緩みを更に防止するために接着剤、その他の手段も用いることができる。更に、ストッパ１１をスライド部材７に接着することもできる。
【００２９】
而して、スライド部材７が変位すると、これに伴いストッパ１１がリストバンドに平行な面内で横方向（リストバンドの幅方向）に移動する。このようなストッパ１１の移動を可能にするために、ガイド部材１３に開口部１３０が設けられている。そして、ストッパ１１はこの開口部１３０にガイドされて移動する。尚、各ストッパ１１の移動量は、これが開口部１３０の縁部に接触することにより規制されている。
【００３０】
又、他の実施の形態によれば、スプリングバー９による移動のみを開口部１３０で規制し、一方、２つのスライド部材７の互いの接触、スプリングバー９との接触、又は中留のその他の部材との接触は、ユーザがスライド部材７を押圧した場合に、反対の方法で制限することができる。
【００３１】
更に他の実施の形態によれば、片方の開口部１３０がガイド部材１３の軸方向に対して平行に設けられ、スライド部材７がスプリングバー９により変位する場合の、ストッパ１１の横方向への移動は、開口部１３０の端部により規制される。
【００３２】
又、ロック状態においては、ストッパ１１のシャフト部分１１１が、外板１に形成された半円状開口部１０及び内板３に形成された半円状開口部３０を貫通している。一方、ストッパ１１のヘッド部分１１０は、その径がシャフト部分１１１よりも大きく形成されるとともに、外板１及び内板３の下方において、外板１に形成された半円状開口部１０内に設けられた接触部材１００で支持されている。又、ストッパ１１のヘッド部分１１０が外板１に係合し、中留カバー５の上下方向の移動を防止し、中留が解放されないよう外板１及び内板３が互いにロックされる。
【００３３】
一方、ユーザがスライド部材７を押し、ストッパ１１が外板１及び内板３の軸中心方向へ移動され、ストッパ１１のヘッド部分１１０が接触部材１００から脱して内板３に形成された半円状開口部３０に至ったときロック解除状態となり、この状態においては、中留は、そのカバー５を上方へ引き上げ、軸中心線３４を中心に回転させることにより開放される。ここで、スライド部材７が同時に押された際に、中留を自動的に開放させるために、スプリングバーを設けることもできる。
【００３４】
図示の中留は、外板１及び内板３に設けられた半円状開口部１０，３０をストッパ１１が横切るように構成されており、このような構成によれば、リストバンドが開放されている場合に半円状開口部１０，３０へ最適に手を届かせることができるとともに、このような狭い場所の清掃を容易に行うことができる。
【００３５】
尚、本発明の範囲においては、ストッパ１１を外板１及び内板３の何れかに設けられた開口部内でのみ移動させることもできる。
【００３６】
又、ストッパ１１のヘッド部分１１０は、ロック状態で外板１及び内板３の下方部分に近接させるのが好ましい。そして、ユーザが負傷しないよう、ストッパ１１のヘッド部分１１０及び半円状開口部１０，３０を鋭角のない形状とするのが好ましい。
【００３７】
更に、図示していないが、外板１及び／又は内板３の上部に設けたロック箇所でストッパ１１がロックするように構成することもできる。この場合、開口部は必要ない。
【００３８】
ところで、本発明による中留は、２つのスライド部材７を中留カバー５の外側面５１に設けられた開口部を通して外側から内側へ挿入することにより組み立てられ、スプリングバー９は、好ましくは、スライド部材７に設けられた係合穴７２に係合するよう、ガイド部材１３内に配置される。
【００３９】
ここで、スライド部材７は、スプリングバー９による力に抗して、空孔７１がガイド部材１３における開口部１３０の反対側に至るまで押圧される。そして、ストッパ１１は開口部１３０を貫通してレンチ等の不図示の工具により係合穴内に締結される。
【図面の簡単な説明】
【００４０】
【図１】本発明による中留のロック状態における側面図である。
【図２】本発明による中留の非ロック状態における側面図である。
【図３】本発明による中留のロック状態における平面図である。
【図４】本発明による中留のロック状態における縦断面図である。
【図５】本発明による中留のスライド部材の平面図である。
【図６ａ】本発明による中留のガイド部材の平面図である。
【図６ｂ】本発明による中留のガイド部材の縦断面図である。
【図７ａ】本発明による中留の外板の側面図である。
【図７ｂ】本発明による中留の外板の平面図である。
【図８ａ】本発明による中留の内板の側面図である。
【図８ｂ】本発明による中留の内板の平面図である。
【符号の説明】
【００４１】
１          外板
３          内板
５          中留カバー
７          スライド部材
９          スプリングバー（弾性部材）
１０，３０  半円状開口部
１１        ストッパ
１２，１４，３１，７１  空孔
１３        ガイド部材
３４        軸中心線
５０，７２  係合穴
５１        中留カバーの外側面
１００      接触部材
１１０      ヘッド部分
１１１      シャフト部分
１３０      開口部
【図１】
2008537893.tif 000003
【図２】
2008537893.tif 000004
【図３】
2008537893.tif 000005
【図４】
2008537893.tif 000006
【図５】
2008537893.tif 000007
【図６ａ】
2008537893.tif 000008
【図６ｂ】
2008537893.tif 000009
【図７ａ】
2008537893.tif 000010
【図７ｂ】
2008537893.tif 000011
【図８ａ】
2008537893.tif 000012
【図８ｂ】
2008537893.tif 000013
【国際調査報告】
2008537893.tif 000014
2008537893.tif 000015
2008537893.tif 000016
2008537893.tif 000017
2008537893.tif 000018
2008537893.tif 000019